(57)【要約】【課題】透光性シートを容易に取り付け及び取り外しができる照明用フレームを提供する。【解決手段】本発明の照明用フレームは、下側に光拡散シート２を張り、照明カバーを形成する矩形状枠の照明用フレーム１であって、上面１１に、細長状の弾性体４を嵌め入れ可能な溝部１３を全周に渡り設けたことを特徴とする。  このようにすることにより、透光性シート３の端部を溝部１３上に載せ、その上から細長状の弾性体４を、透光性シート３の縁部とともに嵌め込むことにより、透光性シート３を照明用フレーム１の上方に隙間なく取付けることができる。【選択図】図３
2009021178.tif 000002
【特許請求の範囲】
【請求項１】
下側に光拡散シートを張り、照明カバーを形成する矩形状枠の照明用フレームであって、上面に、細長状の弾性体を嵌め入れ可能な溝部を全周に渡り設けた照明用フレーム。
【請求項２】
請求項１に記載の照明用フレームの前記溝部に、透光性シートの端部を挟み込みつつ前記弾性体を嵌め入れて照明カバーとし、この照明カバーの一端部側を回転軸として天井側に設けた矩形状の固定枠に開閉可能に取り付け、照明カバーが閉じた状態で先端が弾性体に当接するようにした押さえ部材を固定枠に設けた照明装置。
【発明の詳細な説明】
【技術分野】
【０００１】
本発明は、ガラス繊維シートなどの光拡散シートを張り、平面状の照明を形成する照明装置の照明用フレームに関する。
【背景技術】
【０００２】
天井面に蛍光管などの光源を設置し、その下方にガラス繊維シートなどの光拡散シートを貼った枠体を配し、柔らかい光の面照明にする照明装置が開発されている（例えば、下記特許文献１参照）。
【０００３】
このような照明装置は、光源に引き寄せられて隙間から虫が侵入し、その死骸が、光拡散シート上に溜まることがある。この場合、下方から見ると、光拡散シート上に溜まった虫の死骸が黒ずんで見え、美観を損ねることがあった。
そこで、枠体の光拡散シートを張った側とは反対側に透光性シートを設け、光拡散シートと透光性シートと枠体とで密閉空間を形成し、虫が内部に侵入できないようにした照明装置が開発されている（下記特許文献２参照）。
【０００４】
【特許文献１】特開２００４−３９４４１号公報
【特許文献２】特開２００６−２０９９７８号公報
【発明の開示】
【発明が解決しようとする課題】
【０００５】
上記特許文献２には、透光性シートを、枠体に接着、螺子留めなどにより固定することが記載されているが、このような方法では、接着剤を塗布したり、透光性シートの端部に螺子留め用の部材を取り付けたりしなければならないなど、手間がかかり、作業性がよくなかった。
また、特に接着した場合などは、接着剤の接着力が弱まり、時間とともに透光性シートが撓んでしまうおそれがあった。
【０００６】
そこで、本発明の目的は、透光性シートを容易に取り付けることができる照明用フレームを提供することにある。
【課題を解決するための手段】
【０００７】
本発明の照明用フレームは、下側に光拡散シートを張り、照明カバーを形成する矩形状枠の照明用フレームであって、上面に、細長状の弾性体を嵌め入れ可能な溝部を全周に渡り設けたことを特徴とする。
【０００８】
このようにすることにより、透光性シートの端部を溝部上に載せ、その上から細長状の弾性体を、透光性シートの端部とともに嵌め込むことにより、透光性シートを照明用フレームの上方に隙間なく取付けることができ、また、溝部に嵌め込んだ弾性体を外すことにより透光性シートを取り外すことができ、透光性シートの取り付け及び取り外しを容易に行なうことができる。
【０００９】
上記照明用フレームを用いて照明装置を形成することができ、例えば、上記照明用フレームの前記溝部に、透光性シートの端部を挟み込みつつ前記弾性体を嵌め入れて照明カバーとし、この照明カバーの一端部側を回転軸として天井側に設けた矩形状の固定枠に開閉可能に取り付け、照明カバーが閉じた状態で先端が弾性体に当接するようにした押さえ部材を固定枠に設けた構成とすることができる。
【００１０】
このようにすることにより、照明カバーが閉じた状態では、押さえ部材の先端が弾性体に当接して押さえているため透光性シートが撓みにくくなる。
【発明を実施するための最良の形態】
【００１１】
以下、本発明の一実施形態を図面を用いて説明する。
図１は本発明の一実施形態の照明用フレームの上面図、図２は図１に示した照明用フレームのＡ−Ａ断面図、図３は図１に示した照明用フレームに透光性シートを取り付ける手順を示した断面図であり、（Ａ）は取り付け前、（Ｂ）は取り付け後を示し、図４は図１に示した照明用フレームを用いて形成した照明装置の側断面図である。
【００１２】
本発明の一実施形態の照明用フレーム１は、図４に示すように、下側に光拡散シート２を張り、フレーム１の上面１１に透光性シート３を張り、照明用フレーム１、光拡散シート２及び透光性シート３で虫などが侵入しないように密閉空間を作りだして照明カバー８を形成し、この照明カバー８の一端部側を回転軸として天井側に設けた矩形状の固定枠６に開閉可能に取り付けて照明装置９と成すものである。
【００１３】
照明用フレーム１は、図１に示すような略矩形状の枠体であり、図２に示すように、断面において、フレーム内側を傾斜面１２とした逆三角形状に形成してある。上面１１のフレーム内側の縁部は、傾斜面１２より若干フレーム内側に膨出させてあり、その内方に上方に開口した溝部１３が、フレーム１の全周に渡り形成してある。
【００１４】
この溝部１３は、チューブ状のゴムなどの細長状の弾性体４が嵌め入れ可能であり、図３に示すように、弾性体４を、透光性シート３の端部を挟むようにして溝部１３に嵌め入れ、透光性シート３の四辺全てをこのように嵌め入れて、透光性シート３をフレーム１に張ることができる。溝部１３の内側側面１３ａには、溝部１３内に突出した滑り止め条１３ｂが全周に渡り形成してあり、弾性体４が外れにくくしてある。
【００１５】
また、上面１１には、略垂直に上方に伸びた突出片１４がフレーム１の全周に渡り形成してあり、この高さ方向の中間付近には上面１１と略並行するように張り出した張出片１５がフレーム１の全周に渡り形成してあり、張出片１５と上面１１との間の側方に開口した部分を固定部１６としてある。
【００１６】
この固定部１６は、図４に示すように、光拡散シート２の端部に係止した張設部材５を挿入できるようにしてあり、図４に示すように、ボルトなどの締結部材５ａを、突出片１４に設けた孔（図示せず）にフレーム内側から挿し込み、張設部材５に締結し、光拡散シート２をフレーム１の下側に張ることができる。
【００１７】
光拡散シート２及び透光性シート３は、適度な透光性を持ち、フレームに張って使用することができる柔軟性・耐屈曲性を持つものが好適に用いることができ、透光性を持つガラス繊維シートなどを好適に用いることができる。
【００１８】
照明用フレーム１は、透光性シート３を、フレーム１の上面１１の溝部１３に弾性体４を用いて容易に取り付けることができ、これにより、フレーム１、光拡散シート２及び透光性シート３で密閉空間を作り出し、虫などが光拡散シート２上に溜まることがなくなり、虫の死骸などで照明が黒ずんで見えることがなくなる。
また、取り外す際は、弾性体４を溝部１３から引き抜けばよく、光拡散シート２の内面の清掃なども容易に行なうことができる。
【００１９】
上記のように、透光性シート３を、弾性体４を用いてフレーム１の上側に張り照明カバー８を形成し、この照明カバー８の一端部側を、ヒンジなどを介して矩形状の枠体の固定枠６に開閉可能に取付けて、図４に示すような照明装置９を形成することができる。
この際、固定枠６に押さえ部材７を固定しておき、照明カバー８が閉じた状態でその先端が弾性体４に当接するように設けておけば、弾性体４が押さえ付けられ、透光性シート３が撓みにくく、また、溝部１３から外れにくくなる。
【００２０】
上記実施形態の構成態様は、本発明を限定するものとして挙げたものではなく、技術目的を共通にするかぎり変更は可能であり、本発明はそのような変更を含むものである。
【図面の簡単な説明】
【００２１】
【図１】本発明の一実施形態の照明用フレームの上面図である。
【図２】図１に示した照明用フレームのＡ−Ａ断面図である。
【図３】図１に示した照明用フレームに透光性シートを取り付ける手順を示した断面図であり、（Ａ）は取り付け前、（Ｂ）は取り付け後を示す。
【図４】図１に示した照明用フレームを用いて形成した照明装置の側断面図である。
【符号の説明】
【００２２】
１照明用フレーム
１１上面
１２傾斜面
１３溝部
１３ａ内側側面
１３ｂ滑り止め条
１４突出片
１５張出片
１６固定部
２光拡散シート
３透光性シート
４弾性体
５張設部材
５ａ締結部材
６固定枠
７押さえ部材
８照明カバー
９照明装置
【図１】
2009021178.tif 000003
【図２】
2009021178.tif 000004
【図３】
2009021178.tif 000005
【図４】
2009021178.tif 000006